(57)【要約】【課題】  手書きによる眉書き教習手段を提供して美容専門家のみならず広く一般にも眉描画技能を効率的よく習得させる。【解決手段】ホルダーと、このホルダーに装着される転写体とを具え、前記転写体は複数の眉書き練習パターンを印影として形成する印象とこの印象が表面に刻される印象形成部とからなり、前記印象は眉の基本概形を複数の不連続短線又は点により形成されるとともに、さらに前記転写体を回転可能に軸支する支持機構と、ホルダー外面に設けられ前記支持機構に連動して前記転写体を回動させる回転ダイヤルとを具え、回転ダイヤルの操作により印象を押捺位置に設定して所望の眉書き練習パターンに係る印影を形成できるようにしこの印象による印影に沿って倣い書きすることで眉書きを教習できるようにした眉書きトレーナーの提供により上記課題を解決する。【選択図】  図２
2006171525.tif 000002
【特許請求の範囲】
【請求項１】
ホルダーと、このホルダーに装着される転写体とを具え、前記転写体は眉書き練習パターンを印影として形成する印象とこの印象が表面に刻される印象形成部とからなり、前記印象は眉の基本概形を複数の不連続短線又は点により形成され、この印象による印影に沿って倣い書きすることで眉書きを教習できるようにしたことを特徴とする眉書きトレーナー。
【請求項２】
請求項１記載の眉書きトレーナーにおいて、前記転写体は複数の印象形成部からなり、これら各印象形成部にはそれぞれ異なる内容の眉書き練習パターンとしての眉基本概形に係る印象を具えたことを特徴とする眉書きトレーナー。
【請求項３】
請求項２記載の眉書きトレーナーにおいて、さらに前記転写体を回転可能に軸支する支持機構と、ホルダー外面に設けられ前記支持機構に連動して前記転写体を回動させる回転ダイヤルとを具え、回転ダイヤルの操作により印象を押捺位置に設定して所望の眉書き練習パターンに係る印影を形成できるようにしたことを特徴とする眉書きトレーナー。
【請求項４】
請求項３記載の眉書きトレーナーにおいて、さらに前記回転ダイヤルに連動する印象表示機構を設け回転ダイヤルの操作に伴い捺印位置にある印象の種類をホルダー表面に設けた表示窓を介して表示するようにしたことを特徴とする眉書きトレーナー。
【発明の詳細な説明】
【技術分野】
【０００１】
本願発明は、眉の基本概形を複数の不連続短線また点からなる印影に沿って倣い書きす
ることにより眉書きスキルを紙片上で習得できるようにした眉書きトレーナーに関する
ものである。
【背景技術】
【０００２】
従来、眉型は化粧上のポイントであり、眉書きは日常の手入れでは自らこれをなす例が多いが、時には美容師等の専門家に委ねることもある。いずれの場合も、アイブローペンシルやブラシ等の用具を用いて眉を手書きすることになる。  しかしながら、左右の眉山および眉尻の高さや位置を等しく、きれいに描くことは非常に困難である。このため、美容師等の専門家は日常的に紙片等に眉を描きその習熟に努めているが、眉書きの練習方法は系統化されておらず個々人が熟練者の技術を見よう見まねで取り込み習得していくにすぎないのが実情である。  このように、眉書きは専門家ですら日常の技術研鑽を必要とするのであるから、通常人にとっては誠に難しい。  眉書きは化粧上のごく些細な一場面のようにも見えるが、実際には眉は顔を整え、その表情を豊かにする要素であり、個々人の顔の形や髪型、目、鼻とのバランス、肌艶、衣装等を考慮した眉形に整えられるかどうかは、特に女性にとって極め付きの重大事である。
【０００３】
日常の化粧で、主として素人による眉書きを補助するためのものが、これまでに種々提案がなされてきており、例えば、登録実用新案第３０６０５１３号公報に開示されている考案のような「中入れフィルム及び化粧料容器」や、登録実用新案第３０４８６９８号公報に見られる「メーキャップ用プレート」等のような眉書き用の定規も知られているが、それら何れのものも画一的な眉形状にしか描くことができず、個々人の顔立ちに応じた眉
を描くことは不可能なものであって、満足のいくものという訳にはいかず、そこで、一枚の定規の周縁部に複数に眉形状を象っておき、多彩な表情の眉を描き込むことができるようにしようとしたものとして、例えば、平成１０年特許公開第１０８７２９号公報によって提案されている「眉描き用補助プレート」や、登録実用新案第３０３２８４９号公報に示された「眉型定規」等の事例も散見されるものの、個々人の顔巾や目鼻立ちの違いにまで対応できるようにしたものではなく、個性に応じて眉細部の形や角度等を微妙に変更する等といった対応までは、到底期待することができないのが実情である。
【０００４】
なお、本願発明に直接関連する特許文献は存在しないが、上記文献開示技術と類似のものに関する文献として次のようなものが存在している。
【特許文献１】特開２００３−０６１７４５号公報
【特許文献２】特開２００２−２９１５３０号公報
【特許文献３】特開２００１−０９５６２２号公報
【特許文献４】特開平１１−１４６８０９号公報
【特許文献５】特開平１１−１０３９３３号公報
【特許文献６】特開平１０−１０８７３０号公報
【特許文献７】特開平１０−０４２９４９号公報
【特許文献８】特開平０９−２８９９２０号公報
【特許文献９】特開平０９−２３８７４４号公報
【特許文献１０】特開平０９−０２８４５８号公報
【発明の開示】
【発明が解決しようとする課題】
【０００５】
本願発明の目的は以下の通りである。
ａ：  美容専門家が眉書き技術を習得する過程において理論的な分析に基づく系統立った手法を実現し、効率的な習得プログラムに資するデバイスを提供する。
ｂ：  美容専門家等でない者にも、日常の化粧の際に眉を違和感なく手書きできる技術を系統立って習得できる機会を提供する。
【課題を解決するための手段】
【０００６】
本願発明は、ホルダーと、このホルダーに装着される転写体とを具え、前記転写体は眉書き練習パターンを印影として形成する印象とこの印象が表面に刻される印象形成部とからなり、前記印象は眉の基本概形を複数の不連続短線又は点により形成され、この印象による印影に沿って倣い書きすることで眉書きを教習できるようにした眉書きトレーナーの提供により上記従来の課題を解決しようとするものである。
【０００７】
また、上記の眉書きトレーナーにおいて、前記転写体は複数の印象形成部からなり、これら各印象形成部にはそれぞれ異なる内容の眉書き練習パターンを具えて構成することがある。
【０００８】
さらに、上記の眉書きトレーナーにおいて、前記転写体を回転可能に軸支する支持機構と、ホルダー外面に設けられ前記支持機構に連動して前記転写体を回動させる回転ダイヤルとを具え、回転ダイヤルの操作により印象を押捺位置に設定して所望の眉書き練習パターンに係る印影を形成できるように構成することがある。
【０００９】
またさらに、上記の眉書きトレーナーにおいて、前記回転ダイヤルに連動する印象表示機構を設け回転ダイヤルの操作に伴い捺印位置にある印象の種類をホルダー表面に設けた表示窓を介して表示するように構成することがある。
【発明の効果】
【００１０】
本願発明は、上記構成になる眉書きトレーナーを提供して、複数の不連続短線又は点により形成される眉の基本概形を印影として紙片上に作出し、前記基本概形をなぞって眉描出の繰り返し練習を可能とし、これにより風貌、年齢その他状況に即した眉を自在に手書きできるようになる。
【発明を実施するための最良の形態】
【００１１】
眉書きトレーナーの構成は、印象形成部が回転して複数の印象から所望の印影を選択できる回転スタンプ構造が望ましい。複数の印象はそれぞれ曲線眉の基本概形、角眉の基本概形、直線眉の基本概形で構成する。すなわち、曲線眉はアーチ型とも呼ばれ、丸みのある線で眉頭と眉尻が同一線上に形成され、優雅でエレガントな感じとなり、目を大きく丸く見せる効果がある。  また、ポイント型とも言われる角眉は、眉頭から眉山、眉山から眉尻まで直線で描画され、知的で大人っぽい顔立ちとなり目はやや切れ長な上がり目に見えるようになる。  さらに、ストレート型とも称される直線眉は眉頭から眉尻までがストレートな線で構成され、若々しくフレッシュな感じを与え目元がすっきりと見える。
【００１２】
上記種々のタイプを概形を表す印象は、眉筆で描いたような短線で形成される。すなわち、例えば曲線眉の場合、前記短線による点描で眉頭部分からアーチを描くように眉尻まで構成する。したがって、この印象の押捺による印影はアーチ型眉の概形を形成することになり、この概形にしたがって眉筆等により重ね書きするようになぞって眉型を完成させる。このような手習いを繰り返すうちに眉手書きの錬度が向上し、必要に応じた種々の眉を素早く美麗に描画できるようになる。
【００１３】
眉は左右ほぼ対称であるから、同じタイプの眉型を練習する場合も左右一対の眉基本概形が必要となる。そこで、印象が刻設される印象形成部を転写体から着脱可能な構成となすことで同タイプの眉書きの左右の練習を簡単に実行できる。
【００１４】
眉基本概形を表す印象は、眉筆による不連続な単線ではなく、単なる点で形成してもよく、また外殻線で形成してもよい。  要は、印影が眉タイプのおおよその形状を呈し、それを基にこれに倣って眉形状を書き足して完成形状にもっていけるものであれば良い。
【００１５】
ダイヤル連動して回動する転写体は複数の印象形成部を具え、これら各印象形成部にはそれぞれ異なる印象、例えば前述の曲線眉、各眉、直線眉に対応する概形を表す印象が形成される。  各印象形成部はダイヤルにより転写体を回転させ所定の印象を選択して必要な印影を紙片等に転写できるようにする。なお、ダイヤル操作に連動して捺印可能な状態にある眉型のタイプを表示するように構成すれば、所望の眉型印影を簡単に得ることができる。
【実施例】
【００１６】
次に、図面に示す実施例により本願発明をさらに説明する。図１および図２は本願発明に係る眉書きトレーナーの１実施例を示す外観斜視図であり、図２は図１に示す眉書きトレーナーの倒立状態を示している。
図において  １は眉書きトレーナーであり、ホルダー２と、このホルダー２に装着される転写体３とを具え、前記転写体３は眉書き練習パターンを印影として形成する印象４とこの印象４が表面に刻される印象形成部５とからなり、前記印象４は眉の基本概形を複数の不連続短線又は点により形成され、ホルダー２における押捺位置（図１で下面、図２で上面）にあって紙片等に押圧され印影を形成し、この印影に沿って倣い書きしながら所定の形状の眉を描画することで眉書きが教習できるようになっている。
【００１７】
当該実施例では、前記転写体３は３個の印象形成部３を有してホルダー２内に回転可能に軸支されている。  すなわち、ホルダー２内には転写体３を回転可能に軸支する支持機構（不図示）が設けられ、ホルダー２外面に設けられ前記支持機構に連動して前記転写体３を回動させる回転ダイヤル６とを具え、回転ダイヤル６の操作により転写体３（および印象形成部５）を回動させ印象４を押捺位置にセットすることにより目的の眉基本概形に係る印象４が押捺位置に設定されることになる。前記支持機構やこれと連動するダイヤル６の関連構成はすべて周知の構成を具えている。
【００１８】
また、図において、７は前記回転ダイヤル６に連動する印象表示機構としての表示窓であり印象形成部の側面に記された眉型名を表示するようになっている。この表示窓７における表示は現在押捺位置にある印象４に係る眉型名が印象形成部５の回動に伴って表示されるようになっていて、操作時に印象４を直接見なくても押捺位置にある印象４に係る眉の基本概形を知ることができる。
【００１９】
さらに図において、８は固定脚であり、ホルダー２とバネ係合される構成を有していて、図１において固定脚８を紙片上においてホルダー２をバネに抗して下方に押圧するとホルダー２とともに転写体３（同時に印象形成部５も）も下降して、印象４が紙片に押圧されて所定の印影が形成される。なお、この実施例ではこのような機構も周知構成のものを採用している。
【００２０】
図３は、上記図２に示す眉書きトレーナー１により転写押捺した印影を示す正面図であり、図３（ａ）の印影は前述のように曲線眉（アーチ型）の基本概形９を示している。
この曲線眉（アーチ型）基本概形９を基にあるいはこれを下敷きにして、図３（ｂ）に示すように眉筆により、曲線眉（アーチ型）９１を描画する。  そして、この描画を繰り返すうちに、もっとも一般的な曲線眉９１を自在に手書きで描画できるようになりついには条件に合わせて曲線眉について種々のバリエーションも容易に描くことができるようになる。
【００２１】
図４は、前記眉書きトレーナー１における回転ダイヤル６を操作して角眉（ポイント型）の印影１０を示す正面図であり、上記と同様の訓練の繰り返しにより手書きによる一般的な角眉１１を自然に描画できるようになる。この回転ダイヤル６の操作は表示窓７の表示を確認しつつ行う。
【００２２】
図５は、図３、４の場合と同様に前記眉書きトレーナー１における回転ダイヤル６を操作して直線眉（ストレート型）の印影１２を示す正面図であり、上記と同様の訓練の繰り返しにより手書きによる一般的な直線眉１３を自然に描画できるようになる。
【００２３】
なお、眉書きトレーナー１において印象形成部５は転写体３と交換可能に構成し、多種類の眉基本概形を印象４を印影として転写押捺できるようにしてもよい。
【００２４】
さらに、図６、図７は本願眉書きトレーナーに係る他の実施例を示す図である。  図６は平面図、図７は底面図すなわち押捺面を現している。
図６において、２１は眉書きトレーナー、２２は外殻または筐体としてホルダーであり、このホルダー２２の頂部には表示窓１７，１７が形成されており、側面には後述の転写体を回動させるための回転ダイヤル１６、１６が取り付けられている。
【００２５】
また、眉書きトレーナー２１の底面すなわち押捺面を現す図７において、３１，３１は支軸１８，１８に軸支され回転ダイヤル１６，１６の操作により回動する転写体であり、印象形成部５１，５１を具え、これら印象形成部の表面には眉基本概形の印象４１，４１が象形されている。この実施例では前述の実施例と同様に転写体３１には支軸１８廻りに三面の印象形成部５１がほぼ等角度で取り付けられており、回転ダイヤル１６の操作により所定の印象形成部５１を押捺位置に設定して所望の眉基本概形の印象４１による印影を得て眉描画のトレーニングをなすようになっている。  なお、表示窓１７には回転ダイヤル１６の回転に伴い押捺位置にある眉基本概形の名称が表示される。  また、眉基本概形やこれによる眉描画等については前述の実施例に述べたところであり重複説明は省略する。
【図面の簡単な説明】
【００２６】
【図１】本願発明の１実施例に係る眉書きトレーナー１の外観斜視図である。
【図２】同上眉書きトレーナー１の倒立状態の斜視図である。
【図３】曲線眉（アーチ型）の基本概形印影から曲線眉（アーチ型）の描画過程を示す説明図である。
【図４】角眉（ポイント型）の基本概形印影から角眉（ポイント型）の描画過程を示す説明図である。
【図５】直線眉（ストレート型）の基本概形印影から直線眉（ストレート型）の描画過程を示す説明図である。
【図６】他の実施例に係る眉書きトレーナー２１の平面図である。
【図７】図６に示す眉書きトレーナー２１の底面図である。
【符号の説明】
【００２７】
１，２１．．．．．眉書きトレーナー
２，２２．．．．．ホルダー
３，３１．．．．．転写体
４，４１．．．．．印象
５，５１．．．．．印象形成部
６，１６．．．．．回転ダイヤル
７，１７．．．．．表示窓    
８．．．．．．．．固定脚
９．．．．．．．．曲線眉（アーチ型）の基本概形印影
１０．．．．．．．．角眉（ポイント型）の基本概形印影
１２．．．．．．．．直線眉（ストレート型）の基本概形印影
【図１】
2006171525.tif 000003
【図２】
2006171525.tif 000004
【図３】
2006171525.tif 000005
【図４】
2006171525.tif 000006
【図５】
2006171525.tif 000007
【図６】
2006171525.tif 000008
【図７】
2006171525.tif 000009